(57)【要約】【課題】光ビームの出射角が変動した場合でも、光ビームの光量の変化を正確に検出し、光ビームの光量が規定値になるように制御することができるディスク装置を提供する。【解決手段】ディスク装置が、光ビームを出射する半導体レーザ素子と、半透鏡と、回折光学素子と、光検出部と、光出力制御回路部と、を備える。半透鏡は、光ビームの一部を透過し、残りをディスク記録媒体の情報記録面方向に反射する。回折光学素子は光ビームの一部を回折する。光検出部は回折光学素子から入射する回折光の光量を検出する。光出力制御回路部は、光検出部の検出する光量に基づいて、半導体レーザ素子の光出力を制御する。また、光検出器に入射する各回折光の一部が重なり合う。【選択図】図３
2014186769.tif 000002
【特許請求の範囲】
【請求項１】
光ビームを出射する半導体レーザ素子と、
前記光ビームの一部を透過し、残りをディスク記録媒体の情報記録面方向に反射する半透鏡と、
前記光ビームの一部を回折する回折光学素子と、
前記回折光学素子から入射する回折光の光量を検出する光検出部と、
前記光検出部の検出する前記光量に基づいて、前記半導体レーザ素子の光出力を制御する光出力制御回路部と、
を備え、
前記光検出器に入射する各回折光の一部が重なり合うことを特徴とするディスク装置。
【請求項２】
前記回折光は、前記光ビームの放射角が最も狭い方向に並んで前記光検出器に入射し、隣り合う回折光の一部が重なり合うことを特徴とする請求項１に記載のディスク装置。
【請求項３】
前記光検出器は、受光素子と、該受光素子が配設されるパッケージ部材と、を有し、
前記回折光学素子は前記パッケージ部材と一体に形成されることを特徴とする請求項１または請求項２に記載のディスク装置。
【請求項４】
前記回折光は±１次回折光を含み、
前記±１次回折光の各光量は０次回折光よりも大きいことを特徴とする請求項１〜請求項３のいずれかに記載のディスク装置。
【発明の詳細な説明】
【技術分野】
【０００１】
本発明は、光ビームを用いてディスク記憶媒体に記録又は再生を行うディスク装置に関する。
【背景技術】
【０００２】
従来、光ピックアップに搭載された半導体レーザ素子から出射される光ビームにより、ＤＶＤ等のディスク記憶媒体に情報を記録したり、ディスク記憶媒体に記録されている情報を再生したりするディスク装置が広く用いられている。
【０００３】
このようなディスク装置では、ＡＰＣ（Automatic Power Control）機能により、光ビームの光量が規定値になるように、半導体レーザ素子の光出力を調整している。たとえば、特許文献１及び２では、半導体レーザ素子から出射される光ビームの光強度をフロントモニタ用の光検出器を用いて検出し、光検出器の検出光量が一定になるように、半導体レーザ素子を制御している。
【先行技術文献】
【特許文献】
【０００４】
【特許文献１】特開２００４−１７８６９９号公報
【特許文献２】特開２００８−２５１１１０号公報
【発明の概要】
【発明が解決しようとする課題】
【０００５】
しかしながら、半導体レーザ素子から出射される光ビームの出射角（すなわち出射方向）は、半導体レーザ素子の素子温度又は光出力の変化に伴って変動する。また、通常、光ビームの光強度は、その光軸が最大となり、光軸から離れるほど小さくなる。そのため、光ビームの出射角の変動により、フロントモニタ用の光検出器に入射する光ビームの位置がずれ、フロントモニタ用の光検出器の検出光量が低下することがある。このような場合、検出光量は実際の光ビームの光強度に対応する光量よりも大幅に低下するため、半導体レーザ素子は光出力が大幅に増加するように制御され、ＡＰＣ機能が正確に動作しなくなるという問題がある。
【０００６】
ここで、特許文献１は、受光窓を用いてフロントモニタ用の光検出器の受光範囲を制限することにより、光ビームの広がり角の変化などにより生じる検出光量の変化を抑制している。また、特許文献２は、フロントモニタ用の光検出器の受光中心位置を光ビームの中心軸からずらすことにより、光ビームの放射角（広がり角）が変動してもその光量をモニタできるようにしている。ところが、特許文献１及び２は、上述のような光ビームの出射角の変動により生じる問題をなんら考慮していない。
【０００７】
本発明は、光ビームの出射角が変動した場合でも、光ビームの光量の変化を正確に検出し、光ビームの光量が規定値になるように制御することができるディスク装置を提供することを目的とする。
【課題を解決するための手段】
【０００８】
上記目的を達成するために、本発明のディスク装置は、光ビームを出射する半導体レーザ素子と、前記光ビームの一部を透過し、残りをディスク記録媒体の情報記録面方向に反射する半透鏡と、前記光ビームの一部を回折する回折光学素子と、前記回折光学素子から入射する回折光の光量を検出する光検出部と、前記光検出部の検出する前記光量に基づいて、前記半導体レーザ素子の光出力を制御する光出力制御回路部と、を備え、前記光検出器に入射する各回折光の一部が重なり合うことを特徴とする。
【０００９】
上記構成によれば、半導体レーザ素子から出射される光ビームの一部が回折光学素子により回折され、その回折光はその一部が重なり合う状態で光検出器に入射する。そのため、半導体レーザ素子の素子温度又は光出力の変動などに起因する光ビームの出射角の変動によって回折光の入射位置がずれる際、光検出器が検出する光量の変化量は、回折光学素子が配置されない構成で光ビームの一部の光量を光検出器で検出した場合よりも少なくなる。従って、光ビームの出射角が変動した場合でも、光ビームの光量の変化を正確に検出し、光ビームの光量が規定値になるように制御することができる。
【００１０】
さらに、光ビームの光量を規定値にする所謂ＡＰＣ（Automatic Power Control）制御を正確に行うことができるので、ディスク装置の記録性能、再生性能などを向上させることができる。
【００１１】
上記構成において、前記回折光は、前記光ビームの放射角が最も狭い方向に並んで前記光検出器に入射し、隣り合う回折光の一部が重なり合ってもよい。
【００１２】
この構成によれば、検出光量の変化が大きくなる放射角の最も狭い方向に光ビームの出射角が変動したとしても、光検出器の検出光量の変化をより少なくことができる。従って、より安定したＡＰＣ制御を行うことができる。
【００１３】
また、上記構成において、前記光検出器は、受光素子と、該受光素子が配設されるパッケージ部材と、を有し、前記回折光学素子は前記パッケージ部材と一体に形成されてもよい。
【００１４】
この構成によれば、装置構成をより簡素且つ小型化することができ、製造工程を簡略化することもできる。
【００１５】
また、上記構成において、前記回折光は±１次回折光を含み、前記±１次回折光の各光量は０次回折光よりも大きくてもよい。
【００１６】
この構成によれば、光検出器の検出光量の変化を小さくすることが可能な出射角の変動範囲をより広くすることが可能となる。
【発明の効果】
【００１７】
本発明によると、光ビームの出射角が変動した場合でも、光ビームの光量の変化を正確に検出し、光ビームの光量が規定値になるように制御することができるディスク装置を提供することができる。
【図面の簡単な説明】
【００１８】
【図１】本実施形態に係る光ディスク装置の構成図である。
【図２】レーザダイオードから出射される光ビームの放射範囲を示す図である。
【図３】回折光の光強度分布の一例を示すグラフである。
【図４】回折光を重ね合わせた合成光の光強度分布の一例を示すグラフである。
【図５】比較例においてフロントモニタフォトディテクタに入射する光ビームの光強度分布を示すグラフである。
【図６】出射角の変動量に対する検出光量の変動率を示すグラフである。
【図７】回折光の光強度分布の他の一例を示すグラフである。
【図８】回折光を重ね合わせた合成光の光強度分布の他の一例を示すグラフである。
【発明を実施するための形態】
【００１９】
以下に、本発明の実施形態について、光ディスク装置１を例に挙げて、図面を参照しながら説明する。
【００２０】
本実施形態に係る光ディスク装置１は、光ディスク３に対して情報の書き込み処理及び読み取り処理のうちの少なくとも一方を行うディスク装置の一例である。この光ディスク装置１としては、たとえば、ＢＤレコーダ、ＤＶＤレコーダ、ＢＤプレイヤ、ＤＶＤプレイヤなどを挙げることができる。また、光ディスク装置１に利用可能な光ディスク３は、特に限定しないが、たとえば、ＣＤ（Compact Disc）、ＤＶＤ（Digital Versatile Disc）、ＢＤ（Blu-ray Disc：登録商標）などのディスク記憶媒体を挙げることができる。
【００２１】
図１は、本実施形態に係る光ディスク装置の構成図である。図１に示すように、光ディスク装置１は、光ピックアップ１０と、メモリ１２と、制御回路部１３と、ＬＤドライバ１４と、サーボ回路部１５と、スピンドルモータ１６と、スレッドモータ１７と、映像音声処理回路部１８と、出力回路部１９と、を備えている。この他、光ディスク装置１は、ＨＤＤ（Hard Disk Drive）などの記憶装置を備えていてもよい。
【００２２】
光ピックアップ１０は、光ディスク装置１にマウント（装着）された光ディスク３に対して、情報の書き込み（記録）及び読み出し（再生）のうちの少なくとも一方を行うデバイスである。図１に示すように、光ピックアップ１０は、レーザダイオード１０１と、ハーフミラー１０２と、１／４波長板１０３と、打ち上げミラー１０４と、コリメートレンズ１０５と、対物レンズ１０６と、アクチュエータ１０６ａと、フォトディテクタ１０７と、フロントモニタフォトディテクタ１０８と、回折格子１０９と、を備える。なお、以下では、レーザダイオード１０１はＬＤと呼び、フォトディテクタ１０７はＰＤと呼ぶ。また、フロントモニタフォトディテクタ１０８はＦＭＰＤと呼ぶ。
【００２３】
また、図１では、ＬＤ１０１から光ディスク３又はＦＭＰＤ１０８に至る光ビームの光路を実線で示している。また、光ディスク３にて反射され、ＰＤ１０７に至る光ビームの光路を破線で示している。さらに、便宜上、実線と破線とはずらして描いている。
【００２４】
ＬＤ１０１は、たとえば波長が４０５ｎｍのＢＤ用の光ビームを出射する半導体レーザ素子である。或いは、ＬＤ１０１は、ＢＤ用の光ビームを出射する半導体レーザ素子のほかに、ＤＶＤ用の光ビームを出射する半導体レーザ素子、及びＣＤ用の光ビームを出射する半導体レーザ素子などを含んで構成されていてもよい。このＬＤ１０１は、後述するように、ＬＤドライバ１４から供給される駆動電力に応じた強さの光ビームを出射する。なお、ＬＤ１０１には一定の定格電圧が印加される。そのため、実際には、ＬＤ１０１の光出力はＬＤドライバ１４から供給される駆動電流により制御される。
【００２５】
ハーフミラー１０２は、ＬＤ１０１から出射された光ビームの一部を透過し、残りの一部を予め定められた比率で光ディスク３の情報記録面方向に反射する半透鏡である。１／４波長板１０３は、光ビームの偏光状態を変換する光学素子である。１／４波長板１０３は、直線偏光（ｐ偏光、Ｓ偏光）の光ビームを円偏光の光ビームに変換し、円偏光の光ビームを直線偏光（ｐ偏光、Ｓ偏光）の光ビームに変換する。打ち上げミラー１０４は、１／４波長板１０３を経由して入射する光ビームを反射し、光ディスク３の情報記録面に導く光学素子である。コリメートレンズ１０５は、打ち上げミラー１０４から入射する光ビームを略平行な光ビームに変換する光学素子である。また、対物レンズ１０６は、光ビームを情報記録面に集光させるための光学素子である。アクチュエータ１０６ａは、フォーカス制御及びトラッキング制御などを行うために、サーボ回路部１５から出力される制御信号に基づいて、対物レンズ１０６の位置を調整するレンズ駆動部である。
【００２６】
ＰＤ１０７は、光ディスク３の情報記録面にて反射された光ビーム（以下、反射光と呼ぶ。）を受光して光電変換する受光部であり、この反射光の光量に応じた大きさの電流信号Ｓａを生成する。この電気信号Ｓａは、反射光の光強度を反映しているため、光ディスク３に対して記録する情報又は読み取った情報（たとえば、情報映像信号、音声信号など）を含んでいる。生成された電気信号Ｓａは映像音声処理回路部１８に出力される。
【００２７】
回折格子１０９は、ハーフミラー１０２を透過する光ビームを回折する回折光学素子である。なお、この回折格子１０９の機能については、後に詳述する。また、この回折格子１０９は、ＦＭＰＤ１０８の受光面上に設けられており、ＦＭＰＤ１０８の後述するパッケージ部材（不図示）と一体に形成されている。そのため、装置構成をより簡素且つ小型化することができ、製造工程を簡略化することもできる。
【００２８】
ＦＭＰＤ１０８は、光ビームの光出力をモニタするための光検出部であり、受光素子（不図示）と、この受光素子が配置される樹脂製のパッケージ部材（不図示）とを含んで構成される。ＦＭＰＤ１０８は、回折格子１０９から入射する複数の回折光を受光して光電変換し、受光した回折光の光量に応じた大きさの電流信号Ｓｂを生成する。この電気信号Ｓｂは、ＬＤ１０１が発する光ビームの光出力、及び対物レンズ１０６から出射される光ビームの光量をフィードバック制御するための制御信号として利用すべく、ＬＤドライバ１４に出力される。
【００２９】
メモリ１２は不揮発性の記録媒体である。メモリ１２は、光ディスク装置１の各構成部にて用いられる制御情報及びプログラム、光ディスク３から読み出した情報（たとえば、映像情報、音声情報など）などを格納している。制御情報は、光出力データテーブルなどを含んでいる。この光出力データテーブルには、光ディスク３の物理的特性（たとえば、反射率など）、ＬＤ１０１の光ビームの光出力（たとえば、再生パワー、記録パワー）の設定値、ＬＤ１０１に供給する駆動電力（駆動電圧及び駆動電流）の設定値などが光ディスク３の種類と関連付けられて予め設定されている。そのほか、メモリ１２は、映像音声処理回路部１８にて生成されるコンテンツ情報、及び映像音声処理回路部１８に対して入出力される情報などを格納している。
【００３０】
制御回路部１３は、メモリ１２に格納された制御情報及びプログラムを利用して、光ディスク装置１の各構成部を制御している。また、制御回路部１３は、メモリ１２に格納されている光出力データテーブルを参照し、光ディスク３の種類に応じて、ＬＤドライバ１４がＬＤ１０１に供給する駆動電力を制御するための制御信号をＬＤドライバ１４に出力する。
【００３１】
ＬＤドライバ１４は、制御回路部１３から入力される制御信号に基づいて、ＬＤ１０１の駆動制御を行う光出力制御回路部である。ＬＤドライバ１４は、ＬＤ１０１に一定の駆動電圧を印加するとともに、ＬＤ１０１の光出力制御を行うために、ＬＤ１０１に供給する駆動電流の電流値を制御する。また、ＬＤドライバ１４は、ＬＤ１０１の光出力をフィードバック制御するＡＰＣ（Automatic Power Control）機能を有している。そのため、ＬＤドライバ１４は、ＦＭＰＤ１０８から入力される電気信号Ｓｂに基づいて、ＦＭＰＤ１０８の検出光量が目標値となるように、ＬＤ１０１に供給する駆動電流の電流値をフィードバック制御している。
【００３２】
サーボ回路部１５は、制御回路部１３から入力される制御信号に基づいて、光ピックアップ１０のアクチュエータ１０６ａ、スピンドルモータ１６、及びスレッドモータ１７の駆動制御を行う駆動制御部である。スピンドルモータ１６は、サーボ回路部１５から出力される制御信号に基づいて、光ディスク３を回転させる回転駆動部である。スレッドモータ１７は、サーボ回路部１５から出力される制御信号に基づいて、光ディスク３のラジアル方向に光ピックアップ１０を移動させる駆動部である。
【００３３】
映像音声処理回路部１８は、ＰＤ１０８から入力される電気信号Ｓａに対して各種の処理（復調処理など）を施し、電気信号Ｓａに基づいて様々なコンテンツ情報（たとえば、映像情報、音声情報、文字情報など）を生成し、たとえば映像信号、音声信号として出力回路部１９に出力する。出力回路部１９は、外部接続端子を有し、外部の機器（たとえば、ディスプレイなどの表示装置、スピーカなどの音声出力装置）に対して映像信号、音声信号、及び制御信号などを入出力するインターフェースである。
【００３４】
次に、回折格子１０９の機能について、回折格子１０９が配置される実施例と、回折格子１０９が配置されない比較例とを挙げて詳細に説明する。まず、回折格子１０９の機能を理解し易くするために、ＬＤ１０１から出射される光ビームについて説明する。
【００３５】
図２は、レーザダイオードから出射される光ビームの放射範囲を示す図である。なお、図２において、θｖは、光ビームの放射角（放射範囲）が最も広くなる方向を示している。また、θｈは、光ビームの放射角が最も狭くなる方向を示している。また、図２の一点鎖線は光ビームの光軸を表している。θｖ及びθｈが交わる点Ｏは光ビームの光軸上にある。
【００３６】
通常、ＬＤ１０１から出射される光ビームの放射角（所謂広がり角）は等方的とはならない。図２に示すように、θｖ方向及びθｈ方向の各放射角は異なる。そのため、光軸に垂直な平面における光ビームの光スポットは略楕円形状となる。また、光ビームが出射される方向（すなわち出射角）は、素子温度又は光出力の変動などに起因して、変動することがある。
（実施例）
【００３７】
本実施形態では、この出射角の変動により生じる問題を解決するために、ハーフミラー１０２とＦＭＰＤ１０８との間に回折格子１０９が配置される。また、回折格子１０９は、ハーフミラー１０２を透過した光ビームの複数の回折光を、各回折光の一部が重なり合う状態でＦＭＰＤ１０８に入射させる。
【００３８】
図３は、回折光の光強度分布の一例を示すグラフである。また、図４は、回折光を重ね合わせた合成光の光強度分布の一例を示すグラフである。図３において、曲線Ｇ１は＋１次回折光の光強度分布を示し、曲線Ｇ２は−１次回折光の光強度分布を示し、曲線Ｇ３は±１次回折光Ｇ１、Ｇ２を重ね合わせた合成光の光強度分布を示している。また、図４において、曲線Ｇ３ａはＬＤ１０１から出射される光ビームの出射角が変動する前の合成光Ｇ３の光強度分布を示し、曲線Ｇ３ｂは出射角が変動した後の合成光Ｇ３の光強度分布を示している。また、図３及び図４において、原点Ｏは、光ビームの光軸上の位置に対応している。
【００３９】
図３に示すように、回折格子１０９は、ハーフミラー１０２を透過する光ビーム（ＬＤ１０１から出射される光ビームの一部）の±１次回折光Ｇ１、Ｇ２を、所定方向（たとえばθｈ方向）に並べてＦＭＰＤ１０８の受光面に入射させる。また、回折格子１０９は、たとえばＦＭＰＤ１０８の受光面以外に向けて０次回折光を出射することにより、０次回折光をＦＭＰＤ１０８に入射させないようにしている。或いは、たとえば０次回折光を他の回折光（たとえば±１次回折光）に比べて十分に小さい光量、又はその光量をほぼ０とすることにより、ＦＭＰＤ１０８に０次回折光の光量がほぼ検出されないようにしてもよい。
【００４０】
また、＋１次回折光Ｇ１の一部は−１次回折光Ｇ２の一部と重なり合っている。よって、ＦＭＰＤ１０８は、曲線Ｇ３のような光強度分布を示す合成光の光量を検出する。図４の斜線部は、光ビームの出射角の変動前後におけるＦＭＰＤ１０８の検出光量の変動量に対応している。このように、実施例では、ＬＤ１０１から出射される光ビームの出射角がΔθ変動しても、ＦＭＰＤ１０８の検出光量の変化量を非常に小さくすることができる。また、ＦＭＰＤ１０８が検出する光量が大きいため、検出光量のＳ／Ｎ比を向上させることができる。
【００４１】
なお、±１次回折光Ｇ１、Ｇ２は、θｈ以外の方向（たとえばθｖ方向）に並んでいてもよいが、θｈ方向に並んでＦＭＰＤ１０８に入射することが特に望ましい。一般に、θｈ方向に放射角が変動したとき、放射角の変動によるＦＭＰＤ１０８の検出光量の変化量は最も大きくなる。従って、互いに一部が重なり合う±１次回折光Ｇ１、Ｇ２がθｈ方向に並んで入射すれば、検出光量の変化が最も大きくなるθｈ方向に光ビームの出射角が変動したとしても、ＦＭＰＤ１０８の検出光量の変化をより少なくことができる。
（比較例）
【００４２】
次に、比較例について説明する。比較例では、ハーフミラー１０２とＦＭＰＤ１０８との間に回折格子１０９は配置されない。そのため、ＦＭＰＤ１０８の受光面には、ハーフミラー１０２を透過する光ビーム（ＬＤ１０１から出射される光ビームの一部）が入射する。それ以外の構成は、本実施形態と同様である。
【００４３】
図５は、比較例においてフロントモニタフォトディテクタに入射する光ビームの光強度分布を示すグラフである。図５において、曲線ｇａはＬＤ１０１から出射される光ビームの出射角が変動する前の光強度分布を示し、曲線ｇｂは出射角が変動した後の光強度分布を示している。また、図５において、原点Ｏは、光ビームの光軸上の位置に対応している。
【００４４】
図５の斜線部は、光ビームの出射角の変動前後におけるＦＭＰＤ１０８の検出光量の変動量に対応している。このように、比較例では、実施例（図４）と比較して、ＬＤ１０１から出射される光ビームの出射角がΔθ変動する際、ＦＭＰＤ１０８の検出光量の変化量が非常に大きくなる。なお、この傾向は、光ビームの出射角がθｈ方向（光ビームの放射角が最も狭い方向）に変動したとき、特に顕著に表れる。
【００４５】
また、図６は、出射角の変動量に対する検出光量の変動率を示すグラフである。図６に示すように、ＦＭＰＤ１０８の検出光量の変化率は、比較例よりも実施例の方が大幅に小さくなる。また、実施例及び比較例における検出光量の変動率の差は、出射角の変動量Δθが大きくなると更に顕著となる。なお、図６は、光ビームの出射角がθｈ方向に変動したときの検出光量の変動率を示しているが、θｈ以外の方向（たとえばθｖ方向）に変動した場合であっても、図６と同様の傾向を示す。
【００４６】
なお、上述の実施形態では、回折格子１０９は０次回折光Ｇ０をＦＭＰＤ１０８に入射させないようにしているが、０次回折光もＦＭＰＤ１０８に入射させる構成とすることも可能である。よって、本実施形態の変形例として、たとえば、回折格子１０９は０次回折光Ｇ０及び±１次回折光Ｇ１、Ｇ２をＦＭＰＤ１０８に入射させ、ＦＭＰＤ１０８がこれらの３つの回折光Ｇ０、Ｇ１、Ｇ２の合成光の光量を検出するようにしてもよい。
【００４７】
図７は、回折光の光強度分布の他の一例を示すグラフである。また、図８は、回折光を重ね合わせた合成光の光強度分布の他の一例を示すグラフである。図７において、曲線Ｇ０は０次回折光の光強度分布を示し、曲線Ｇ４は０次回折光Ｇ０及び±１次回折光Ｇ１、Ｇ２を重ね合わせた合成光の光強度分布を示している。また、図８において、曲線Ｇ４ａは光ビームの出射角が変動する前の合成光Ｇ４の光強度分布を示し、曲線Ｇ４ｂは出射角が変動した後の合成光Ｇ４の光強度分布を示している。また、図７及び図８において、原点Ｏは、光ビームの光軸上の位置に対応している。
【００４８】
図７に示すように、本実施形態の変形例では、回折格子１０９は、０次回折光Ｇ０と、０次回折光Ｇ０よりも光強度（光量）が大きい±１次回折光Ｇ１、Ｇ２とをθｈ方向に並べてＦＭＰＤ１０８の受光面に入射させる。ここで、０次回折光Ｇ０の光強度は±１次回折光Ｇ１、Ｇ２の光強度の半分よりも小さくしてもよい。また、＋１次回折光Ｇ１の一部は０次回折光Ｇ０の一部と重なり合っており、−１次回折光Ｇ２の一部は０次回折光Ｇ０の一部と重なり合っている。よって、ＦＭＰＤ１０８は、曲線Ｇ４のような光強度分布を示す合成光の光量を検出する。
【００４９】
図８の斜線部は、出射角の変動前後におけるＦＭＰＤ１０８の検出光量の変動量に対応している。このように、合成光Ｇ４をＦＭＰＤ１０８に入射させることにより、ＬＤ１０１から出射される光ビームの出射角がΔθ変動する際、ＦＭＰＤ１０８の検出光量の変化量をさらに小さくすることが可能である。さらに、検出光量の変化率の小さい出射角の変動範囲をより広くすることも可能である。
【００５０】
なお、図７では、＋１次回折光Ｇ１の一部と−１次回折光Ｇ２の一部とが重なり合っているが、本発明の適用範囲はこの例に限定されない。たとえば、少なくとも隣り合う回折光の一部が重なり合っていれば、±１次回折光Ｇ１、Ｇ２は重なり合わない構成としてもよい。
【００５１】
このほか、回折格子１０９は０次回折光Ｇ０及び±１次回折光Ｇ１、Ｇ２以外の±ｎ次回折光（ｎは２以上の正の整数）をＦＭＰＤ１０８に入射させるようにしてもよい。このようにしても、上述の実施形態と同様の作用及び効果を得ることが可能である。
【００５２】
以上のように、本実施形態の光ディスク装置１は、光ビームを出射するＬＤ１０１と、ハーフミラー１０２と、回折格子１０９と、ＦＭＰＤ１０８と、ＬＤドライバ１４と、を備える。ハーフミラー１０２は、光ビームの一部を透過し、残りを光ディスク３の情報記録面方向に反射する。回折格子１０９は光ビームの一部を回折する。ＦＭＰＤ１０８は回折格子１０９から入射する回折光の光量を検出する。ＬＤドライバ１４は、ＦＭＰＤ１０８の検出する光量に基づいて、ＬＤ１０１の光出力を制御する。また、ＦＭＰＤ１０８に入射する各回折光の一部が重なり合っている。
【００５３】
こうすれば、ＬＤ１０１から出射される光ビームの一部が回折格子１０９により回折され、回折光はその一部が重なり合う状態でＦＭＰＤ１０８に入射する。そのため、ＬＤ１０１の素子温度又は光出力の変動などに起因する光ビームの出射角の変動によって回折光の入射位置がずれる際、ＦＭＰＤ１０８が検出する光量の変化量は、回折格子１０９が配置されない構成（たとえば比較例）で光ビームの一部の光量をＦＭＰＤ１０８で検出した場合よりも少なくなる。従って、光ビームの出射角が変動した場合でも、光ビームの光量の変化を正確に検出し、光ビームの光量が規定値になるように制御することができる。
【００５４】
さらに、光ビームの光量を規定値にする所謂ＡＰＣ制御を正確に行うことができるので、光ディスク装置１の記録性能、再生性能などを向上させることができる。
【００５５】
また、上述の実施形態では、複数の回折光は、光ビームの放射角が最も狭いθｈ方向に並んでＦＭＰＤ１０８に入射し、隣り合う回折光の一部が重なり合う。そのため、検出光量の変化が大きくなるθｈ方向（放射角の最も狭い方向）に光ビームの出射角が変動したとしても、ＦＭＰＤ１０８の検出光量の変化をより少なくことができる。従って、より安定したＡＰＣ制御を行うことができる。
【００５６】
また、上述の実施形態では、ＦＭＰＤ１０８は、受光素子（不図示）と、該受光素子が配設されるパッケージ部材（不図示）と、を有し、回折格子１０９はパッケージ部材と一体に形成される。こうすれば、光ディスク装置１（特に光ピックアップ１０）の構成をより簡素且つ小型化することができ、製造工程を簡略化することもできる。
【００５７】
また、上述の実施形態では、回折光は±１次回折光Ｇ１、Ｇ２を含み、±１次回折光Ｇ１、Ｇ２の各光量は０次回折光Ｇ０よりも大きい。こうすれば、ＦＭＰＤ１０８の検出光量の変化を小さくすることが可能な出射角の変動範囲をより広くすることが可能となる。
【００５８】
以上、本発明について実施形態をもとに説明した。この実施形態は例示であり、その各構成要素及び各処理の組み合わせに色々な変形が可能であり、本発明の範囲にあることは当業者に理解されるところである。
【符号の説明】
【００５９】
１          光ディスク装置
１０          光ピックアップ
１０１          レーザダイオード、ＬＤ
１０２          ハーフミラー
１０３          １／４波長板
１０４          打ち上げミラー
１０５          コリメートレンズ
１０６          対物レンズ
１０６ａ          アクチュエータ
１０７          フォトディテクタ、ＰＤ
１０８          フロントモニタフォトディテクタ、ＦＭＰＤ
１０９          回折格子
１２          メモリ
１３          制御回路部
１４          ＬＤドライバ
１５          サーボ回路部
１６          スピンドルモータ
１７          スレッドモータ
１８          映像音声処理回路部
１９          出力回路部
３          光ディスク
【図１】
2014186769.tif 000003
【図２】
2014186769.tif 000004
【図３】
2014186769.tif 000005
【図４】
2014186769.tif 000006
【図５】
2014186769.tif 000007
【図６】
2014186769.tif 000008
【図７】
2014186769.tif 000009
【図８】
2014186769.tif 000010